【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
ユーザ機器(UE)のためのワイヤレス通信の方法であって、
1つまたは複数のダウンリンク送信を基地局から受信するステップと、
前記基地局へアップリンク送信を送信すると決定するステップと、
狭帯域物理アップリンク共有チャネル(NPUSCH)フォーマットリソース構造を使って、前記1つまたは複数のダウンリンク送信に関連付けられた肯定応答(ACK)/否定ACK(NACK)とともに、前記アップリンク送信のためのスケジューリング要求を前記基地局へ送信するステップであって、前記UEは、前記基地局から受信された第3のシグナリングに基づいて、前記スケジューリング要求の第1の繰返し送信数を増大するように構成される、ステップとを含む方法。
【請求項２】
前記UEは、前記基地局から受信された第1のシグナリングに基づいて、前記1つまたは複数のダウンリンク送信に関連付けられた前記ACK/NACKとともに、前記アップリンク送信のための前記スケジューリング要求を送信するように構成される、請求項1に記載の方法。
【請求項３】
前記第1のシグナリングは、媒体アクセス制御(MAC)コマンドまたは無線リソース制御(RRC)再構成シグナリング中に含まれる、請求項2に記載の方法。
【請求項４】
前記UEは、前記第1のシグナリングが受信され、前記UEにおけるカウンタが閾数に達した後、前記1つまたは複数のダウンリンク送信に関連付けられた前記ACK/NACKを伴う前記アップリンク送信のための前記スケジューリング要求を送信する、請求項2に記載の方法。
【請求項５】
前記閾数は、前記第1のシグナリング中に含まれる情報に基づいて、または前記UEにおける事前構成された情報に基づいて決定される、請求項4に記載の方法。
【請求項６】
前記UEは、前記基地局から受信された第2のシグナリングに基づいて、前記1つまたは複数のダウンリンク送信に関連付けられた前記ACK/NACKとともに、前記アップリンク送信のための前記スケジューリング要求を送信しないように構成される、請求項1に記載の方法。
【請求項７】
前記UEは、前記UEにおけるタイマが満了したとき、前記1つまたは複数のダウンリンク送信に関連付けられた前記ACK/NACKを伴う前記アップリンク送信のための前記スケジューリング要求を送信しないと決定する、請求項6に記載の方法。
【請求項８】
前記NPUSCHフォーマットリソース構造を使って前記1つまたは複数のダウンリンク送信に関連付けられた前記ACK/NACKを伴う前記アップリンク送信のための前記スケジューリング要求を前記送信するステップは、
前記ACK/NACKを伴う前記スケジューリング要求を第2の送信数だけ送信するステップであって、前記第2の送信数は、前記NPUSCHフォーマットリソース構造向けの繰返し数に関連付けられる、ステップと、
前記ACK/NACKなしの、割り振られたリソースを使う前記スケジューリング要求を第3の送信数だけ送信するステップであって、前記第3の送信数は、前記第1の繰返し送信数と、前記NPUSCHフォーマットリソース構造に関連付けられた前記第2の送信数との間の差である、ステップとを含む、請求項1に記載の方法。
【請求項９】
前記スケジューリング要求に関連付けられた第1のビット値および前記ACK/NACKに関連付けられた第2のビット値の4位相シフトキーイング(QPSK)マッピングを実施するステップと、
前記QPSKマッピングの後、前記スケジューリング要求および前記ACK/NACKのチャネルコーディングまたはデータスクランブリングのうちの少なくとも1つを実施するステップとをさらに含む、請求項1に記載の方法。
【請求項１０】
前記ACK/NACKに関連付けられた前記第2のビット値の2位相シフトキーイング(BPSK)マッピングを実施するステップと、
前記スケジューリング要求が前記ACK/NACKとともに送信されるかどうかを決定するステップと、
前記ACK/NACKに関連付けられた前記第2のビット値の前記BPSKマッピングを90°、または所定もしくはネットワークによって構成された別の角度だけシフトするステップとをさらに含む、請求項9に記載の方法。
【請求項１１】
ユーザ機器(UE)向けのワイヤレス通信のための装置であって、
1つまたは複数のダウンリンク送信を基地局から受信するための手段と、
前記基地局へアップリンク送信を送信すると決定するための手段と、
狭帯域物理アップリンク共有チャネル(NPUSCH)フォーマットリソース構造を使って、前記1つまたは複数のダウンリンク送信に関連付けられた肯定応答(ACK)/否定ACK(NACK)を伴う前記アップリンク送信のためのスケジューリング要求を前記基地局へ送信するための手段であって、前記UEは、前記基地局から受信された第3のシグナリングに基づいて、前記スケジューリング要求の第1の繰返し送信数を増大するように構成される、手段とを備える装置。
【請求項１２】
前記UEは、前記基地局から受信された第1のシグナリングに基づいて、前記1つまたは複数のダウンリンク送信に関連付けられた前記ACK/NACKとともに、前記アップリンク送信のための前記スケジューリング要求を送信するように構成される、請求項11に記載の装置。
【請求項１３】
前記第1のシグナリングは、媒体アクセス制御(MAC)コマンドまたは無線リソース制御(RRC)再構成シグナリング中に含まれる、請求項12に記載の装置。
【請求項１４】
前記UEは、前記第1のシグナリングが受信され、前記UEにおけるカウンタが閾数に達した後、前記1つまたは複数のダウンリンク送信に関連付けられた前記ACK/NACKを伴う前記アップリンク送信のための前記スケジューリング要求を送信する、請求項12に記載の装置。
【請求項１５】
前記閾数は、前記第1のシグナリング中に含まれる情報に基づいて、または前記UEにおける事前構成された情報に基づいて決定される、請求項14に記載の装置。
【請求項１６】
前記UEは、前記基地局から受信された第2のシグナリングに基づいて、前記1つまたは複数のダウンリンク送信に関連付けられた前記ACK/NACKとともに、前記アップリンク送信のための前記スケジューリング要求を送信しないように構成される、請求項11に記載の装置。
【請求項１７】
前記UEは、前記UEにおけるタイマが満了したとき、前記1つまたは複数のダウンリンク送信に関連付けられた前記ACK/NACKを伴う前記アップリンク送信のための前記スケジューリング要求を送信しないと決定する、請求項16に記載の装置。
【請求項１８】
前記NPUSCHフォーマットリソース構造を使って前記1つまたは複数のダウンリンク送信に関連付けられた前記ACK/NACKを伴う前記アップリンク送信のための前記スケジューリング要求を送信するための前記手段は、
前記ACK/NACKを伴う前記スケジューリング要求を第2の送信数だけ送信することであって、前記第2の送信数は、前記NPUSCHフォーマットリソース構造向けの繰返し数に関連付けられる、送信することと、
前記ACK/NACKなしの、割り振られたリソースを使う前記スケジューリング要求を第3の送信数だけ送信することであって、前記第3の送信数は、前記第1の繰返し送信数と、前記NPUSCHフォーマットリソース構造に関連付けられた前記第2の送信数との間の差である、送信することとを行うように構成される、請求項11に記載の装置。
【請求項１９】
前記スケジューリング要求に関連付けられた第1のビット値および前記ACK/NACKに関連付けられた第2のビット値の4位相シフトキーイング(QPSK)マッピングを実施するための手段と、
前記QPSKマッピングの後、前記スケジューリング要求および前記ACK/NACKのチャネルコーディングまたはデータスクランブリングの少なくとも1つを実施するための手段とをさらに備える、請求項11に記載の装置。
【請求項２０】
前記ACK/NACKに関連付けられた前記第2のビット値の2位相シフトキーイング(BPSK)マッピングを実施するための手段と、
前記スケジューリング要求が前記ACK/NACKとともに送信されるかどうかを決定するための手段と、
前記ACK/NACKに関連付けられた前記第2のビット値の前記BPSKマッピングを90°、または所定もしくはネットワークによって構成された別の角度だけシフトするための手段とをさらに備える、請求項19に記載の装置。
【請求項２１】
ユーザ機器(UE)向けのワイヤレス通信のための装置であって、
メモリと、
前記メモリに結合された少なくとも1つのプロセッサとを備え、前記少なくとも1つのプロセッサは、
1つまたは複数のダウンリンク送信を基地局から受信し、
前記基地局へアップリンク送信を送信すると決定し、
狭帯域物理アップリンク共有チャネル(NPUSCH)フォーマットリソース構造を使って、前記1つまたは複数のダウンリンク送信に関連付けられた肯定応答(ACK)/否定ACK(NACK)を伴う前記アップリンク送信のためのスケジューリング要求を前記基地局へ送信するように構成され、前記UEは、前記基地局から受信された第3のシグナリングに基づいて、前記スケジューリング要求の第1の繰返し送信数を増大するように構成される、装置。
【請求項２２】
前記UEは、前記基地局から受信された第1のシグナリングに基づいて、前記1つまたは複数のダウンリンク送信に関連付けられた前記ACK/NACKとともに、前記アップリンク送信のための前記スケジューリング要求を送信するように構成される、請求項21に記載の装置。
【請求項２３】
前記第1のシグナリングは、媒体アクセス制御(MAC)コマンドまたは無線リソース制御(RRC)再構成シグナリング中に含まれる、請求項22に記載の装置。
【請求項２４】
前記UEは、前記第1のシグナリングが受信され、前記UEにおけるカウンタが閾数に達した後、前記1つまたは複数のダウンリンク送信に関連付けられた前記ACK/NACKを伴う前記アップリンク送信のための前記スケジューリング要求を送信する、請求項22に記載の装置。
【請求項２５】
前記閾数は、前記第1のシグナリング中に含まれる情報に基づいて、または前記UEにおける事前構成された情報に基づいて決定される、請求項24に記載の装置。
【請求項２６】
前記UEは、前記基地局から受信された第2のシグナリングに基づいて、前記1つまたは複数のダウンリンク送信に関連付けられた前記ACK/NACKとともに、前記アップリンク送信のための前記スケジューリング要求を送信しないように構成される、請求項21に記載の装置。
【請求項２７】
前記UEは、前記UEにおけるタイマが満了したとき、前記1つまたは複数のダウンリンク送信に関連付けられた前記ACK/NACKを伴う前記アップリンク送信のための前記スケジューリング要求を送信しないと決定する、請求項26に記載の装置。
【請求項２８】
前記少なくとも1つのプロセッサは、
前記ACK/NACKを伴う前記スケジューリング要求を第2の送信数だけ送信することであって、前記第2の送信数は、前記NPUSCHフォーマットリソース構造向けの繰返し数に関連付けられる、送信することと、
前記ACK/NACKなしの、割り振られたリソースを使う前記スケジューリング要求を第3の送信数だけ送信することであって、前記第3の送信数は、前記第1の繰返し送信数と、前記NPUSCHフォーマットリソース構造に関連付けられた前記第2の送信数との間の差である、送信することとによって、前記NPUSCHフォーマットリソース構造を使って前記1つまたは複数のダウンリンク送信に関連付けられた前記ACK/NACKを伴う前記アップリンク送信のための前記スケジューリング要求を送信するように構成される、請求項21に記載の装置。
【請求項２９】
前記少なくとも1つのプロセッサは、
前記スケジューリング要求に関連付けられた第1のビット値および前記ACK/NACKに関連付けられた第2のビット値の4位相シフトキーイング(QPSK)マッピングを実施し、
前記QPSKマッピングの後、前記スケジューリング要求および前記ACK/NACKのチャネルコーディングまたはデータスクランブリングの少なくとも1つを実施するようにさらに構成される、請求項21に記載の装置。
【請求項３０】
前記少なくとも1つのプロセッサは、
前記ACK/NACKに関連付けられた前記第2のビット値の2位相シフトキーイング(BPSK)マッピングを実施し、
前記スケジューリング要求が前記ACK/NACKとともに送信されるかどうかを決定し、
前記ACK/NACKに関連付けられた前記第2のビット値の前記BPSKマッピングを90°、または所定もしくはネットワークによって構成された別の角度だけシフトするようにさらに構成される、請求項29に記載の装置。
【請求項３１】
ユーザ機器(UE)のためのコンピュータ実行可能コードを記憶するコンピュータ可読記憶媒体であって、
1つまたは複数のダウンリンク送信を基地局から受信し、
前記基地局へアップリンク送信を送信すると決定し、
狭帯域物理アップリンク共有チャネル(NPUSCH)フォーマットリソース構造を使って、前記1つまたは複数のダウンリンク送信に関連付けられた肯定応答(ACK)/否定ACK(NACK)を伴う前記アップリンク送信のためのスケジューリング要求を前記基地局へ送信するためのコードを含み、前記UEは、前記基地局から受信された第3のシグナリングに基づいて、前記スケジューリング要求の第1の繰返し送信数を増大するように構成される、コンピュータ可読記憶媒体。
【請求項３２】
前記UEは、前記基地局から受信された第1のシグナリングに基づいて、前記1つまたは複数のダウンリンク送信に関連付けられた前記ACK/NACKとともに、前記アップリンク送信のための前記スケジューリング要求を送信するように構成される、請求項31に記載のコンピュータ可読記憶媒体。
【請求項３３】
前記第1のシグナリングは、媒体アクセス制御(MAC)コマンドまたは無線リソース制御(RRC)再構成シグナリング中に含まれる、請求項32に記載のコンピュータ可読記憶媒体。
【請求項３４】
前記UEは、前記第1のシグナリングが受信され、前記UEにおけるカウンタが閾数に達した後、前記1つまたは複数のダウンリンク送信に関連付けられた前記ACK/NACKを伴う前記アップリンク送信のための前記スケジューリング要求を送信する、請求項32に記載のコンピュータ可読記憶媒体。
【請求項３５】
前記閾数は、前記第1のシグナリング中に含まれる情報に基づいて、または前記UEにおける事前構成された情報に基づいて決定される、請求項34に記載のコンピュータ可読記憶媒体。
【請求項３６】
前記UEは、前記基地局から受信された第2のシグナリングに基づいて、前記1つまたは複数のダウンリンク送信に関連付けられた前記ACK/NACKとともに、前記アップリンク送信のための前記スケジューリング要求を送信しないように構成される、請求項31に記載のコンピュータ可読記憶媒体。
【請求項３７】
前記UEは、前記UEにおけるタイマが満了したとき、前記1つまたは複数のダウンリンク送信に関連付けられた前記ACK/NACKを伴う前記アップリンク送信のための前記スケジューリング要求を送信しないと決定する、請求項36に記載のコンピュータ可読記憶媒体。
【請求項３８】
前記NPUSCHフォーマットリソース構造を使って、前記1つまたは複数のダウンリンク送信に関連付けられた前記ACK/NACKとともに、前記アップリンク送信のための前記スケジューリング要求を送信するための前記コードは、
前記ACK/NACKを伴う前記スケジューリング要求を第2の送信数だけ送信することであって、前記第2の送信数は、前記NPUSCHフォーマットリソース構造向けの繰返し数に関連付けられる、送信することと、
前記ACK/NACKなしの、割り振られたリソースを使う前記スケジューリング要求を第3の送信数だけ送信することであって、前記第3の送信数は、前記第1の繰返し送信数と、前記NPUSCHフォーマットリソース構造に関連付けられた前記第2の送信数との間の差である、送信することとを行うように構成される、請求項31に記載のコンピュータ可読記憶媒体。
【請求項３９】
前記スケジューリング要求に関連付けられた第1のビット値および前記ACK/NACKに関連付けられた第2のビット値の4位相シフトキーイング(QPSK)マッピングを実施し、
前記QPSKマッピングの後、前記スケジューリング要求および前記ACK/NACKのチャネルコーディングまたはデータスクランブリングの少なくとも1つを実施するためのコードをさらに含む、請求項31に記載のコンピュータ可読記憶媒体。
【請求項４０】
前記ACK/NACKに関連付けられた前記第2のビット値の2位相シフトキーイング(BPSK)マッピングを実施し、
前記スケジューリング要求が前記ACK/NACKとともに送信されるかどうかを決定し、
前記ACK/NACKに関連付けられた前記第2のビット値の前記BPSKマッピングを90°、または所定もしくはネットワークによって構成された別の角度だけシフトするためのコードをさらに含む、請求項39に記載のコンピュータ可読記憶媒体。